(57)【要約】【課題】この発明は天板の支持高さを変えることができるようにしたテーブル装置を提供することにある。【解決手段】天板１と、一辺部１１ａと他辺部１１ｂとが異なる長さのほぼＬ字状に形成され天板の下面の所定方向の一端部と他端部とにそれぞれ起伏可能に設けられた脚体１１とを具備し、  脚体を起立させたときには天板を脚体の一辺部の長さに対応する高さで支持し、倒伏させたときには他辺部の長さに対応する高さで支持することで、天板を異なる高さで支持することが可能となる。【選択図】      図１
2005046493.tif 000002
【特許請求の範囲】
【請求項１】
天板と、
一辺部と他辺部とが異なる長さのほぼＬ字状に形成され上記天板の下面の所定方向の一端部と他端部とにそれぞれ起伏可能に設けられた脚体とを具備し、
上記脚体を起立させたときには上記天板を上記一辺部の長さに対応する高さで支持し、倒伏させたときには上記他辺部の長さに対応する高さで支持することを特徴とするテーブル装置。
【請求項２】
上記脚体は一辺部が他辺部よりも短く形成され、この他辺部の端部が上記天板の下面に回動可能に連結されていて、上記天板の下面にはこの天板を上記脚体の他辺部の高さで支持するときにこの脚体を倒伏不能に保持する保持手段が設けられ、上記天板を上記脚体の一辺部の高さで支持するときには上記他辺部が上記天板とほぼ平行になることを特徴とする請求項１記載のテーブル装置。
【請求項３】
上記天板の所定方向の一端部と他端部の脚体は、上記所定方向と交差する方向に対して位置をずらして設けられていることを特徴とする請求項１記載のテーブル装置。
【発明の詳細な説明】
【技術分野】
【０００１】
この発明は天板の支持高さを変えることができるテーブル装置に関する。
【背景技術】
【０００２】
テーブル装置は天板を有し、この天板は脚体によって所定の高さで支持される。通常、天板の支持高さは、利用者が椅子に座った状態で利用するのに丁度よい高さに設定されている。つまり、洋室用として使い勝手がよい高さになっている。
【０００３】
テーブル装置は洋室だけでなく、たとえば和室などでは洋室用に比べて脚体が短いテーブル装置が座卓として使用される。つまり、和室などで利用する場合には、天板の高さは利用者が畳などに座った状態で使い易いよう、洋室用に比べて十分に低い高さになっている。一般的に、洋室用のテーブル装置は天板の高さが７０ｃｍ程度であり、和室用の場合には３５ｃｍ程度である。
【発明の開示】
【発明が解決しようとする課題】
【０００４】
このように、洋室用と和室用とのテーブル装置では天板の高さが大きく異なる。そのため、１つのテーブル装置を両方に兼用することは難しい。そこで、洋室と和室とでそれぞれテーブル装置を必要とする場合には、各部屋で使用することができる、異なる高さの２つのテーブル装置を用意しなければならない。
【０００５】
しかしながら、２つのテーブル装置を用意しておくということは不経済であるばかりか、不使用時に室内空間を占有するため、邪魔になるということもある。
【０００６】
この発明は使用する場所などに応じて天板を支持する高さを変えることができるようにしたテーブル装置を提供することにある。
【課題を解決するための手段】
【０００７】
この発明は、天板と、
一辺部と他辺部とが異なる長さのほぼＬ字状に形成され上記天板の下面の所定方向の一端部と他端部とにそれぞれ起伏可能に設けられた脚体とを具備し、
上記脚体を起立させたときには上記天板を上記一辺部の長さに対応する高さで支持し、倒伏させたときには上記他辺部の長さに対応する高さで支持することを特徴とするテーブル装置にある。
【０００８】
上記脚体は一辺部が他辺部よりも短く形成され、この他辺部の端部が上記天板の下面に回動可能に連結されていて、上記天板の下面にはこの天板を上記脚体の他辺部の高さで支持するときにこの脚体を倒伏不能に保持する保持手段が設けられ、上記天板を上記脚体の一辺部の高さで支持するときには上記他辺部が上記天板とほぼ平行になることが亜好ましい。
【０００９】
上記天板の所定方向の一端部と他端部の脚体は、上記所定方向と交差する方向に対して位置をずらして設けられていることが好ましい。
【発明の効果】
【００１０】
この発明によれば、天板の下面に起伏可能に設けられたＬ字状の脚体の一辺部と他辺部とで上記天板を異なる高さで支持することができるから、使用する場所が洋室或いは和室のどちらであっても、その使用場所に応じて天板の支持高さを変えて使用することができる。
【発明を実施するための最良の形態】
【００１１】
以下、この発明の一実施の形態を図面を参照して説明する。
【００１２】
図１と図２に示すこの発明のテーブル装置は矩形状の天板１を備えている。この天板１の下面の幅方向両端部には図２に示すように帯板状の一対の側部幕板２が所定間隔で取り付けられている。一対の側部幕板２の両端部にはそれぞれ端部幕板３が設けられている。
【００１３】
上記一対の側部幕板２の両端部にはそれぞれ支軸４が天板１の幅方向に沿って設けられている。支軸４は一端が図３（ａ）に示す支持金具５によって支持され、他端が側部幕板２の端部に形成された支持孔６に挿入支持されている。
【００１４】
上記支持金具５はＬ字状をなしていて、その一辺が天板１の下面にねじ７によって取付け固定され、他辺には通孔８が形成され、この通孔８には上記支軸４のおねじ４ａが形成された一端が挿入されている。
【００１５】
なお、側部幕板２の長手方向一端部と他端部に設けられた一対の支軸４は、支持金具５に支持される一端部と、支持孔６に支持される他端部とが左右逆方向となっている。一対の側部幕板２は同じものが用いられているため、長手方向両端部にそれぞれ支持孔６が形成されている。なお、支持孔６には図示しない金属キャップが埋め込まれ、この金属キャップによって支軸４の端部が回転可能に支持されている。
【００１６】
各支軸４にはそれぞれ一対の脚体１１の一端部が回動可能に支持されている。脚体１１は所定の厚さの板材によって一辺部１１ａと、この一辺部１１ａよりも長尺な他辺部１１ｂとを有するほぼＬ字状に形成されている。一辺部１１ａは約３５ｃｍで、他辺部は約７０ｃｍの長さに設定されている。
【００１７】
一対の脚体１１の一辺部１１ａの先端部角部には、図３（ａ）に示すように厚さ方向に貫通してブッシュ１２（一方の脚体１１だけ図示）が設けられている。さらに、一対の脚体１１の一辺部１１ａ及び他辺部１１ｂはそれぞれ帯板状の連結杆１３ａ，１３ｂによって一対の側部幕板２の間隔よりもわずかに小さな間隔で連結されている。
【００１８】
一対の脚体１１は、一辺部１１ａの角部に設けられたブッシュ１２に上記支軸４の両端部が挿通されている。支軸４のおねじ４ａが形成された一端部には脚体１１の一辺部１１ａの一側面に対向する第１のナット１４ａが螺合されているとともに、第１のスプリングワッシャ１４ｂと平ワッシャ１４ｃとが順次装着されている。上記おねじ４ａの上記支持金具５の通孔８から突出した末端には第２のナット１５ａが第２のスプリングワッシャ１５ｂと平ワッシャ１５ｃを介して螺合されている。それによって、一対の脚体１１は、その一方の一辺部１１ａが第１のナット１４ａと支持金具５の他辺とによって天板１の幅方向にずれ動くのが規制されている。
【００１９】
なお、天板１の長手方向一端部に設けられた一対の脚体１１と、他端部に設けられた一対の脚体１１とは、支持金具５が一端部と他端部とで左右逆方向に設けられていることで、上記天板１の幅方向に対して位置がずれている。つまり、各一対の脚体１１は図１に実線で示す起立状態から鎖線で示す倒伏状態に回動させたときに、他辺部１１ｂの先端部がぶつかることがないように位置をずらしている。
【００２０】
各一対の脚体１１は、図１に実線で示すように起立させたとき、保持手段としての保持金具１８によって倒伏不能に保持することができるようになっている。この上記保持金具１８は図３（ｂ）に示すように保持板１９ａと、この保持板１９ａにスライド可能に設けられたプッシュロッド１９ｂとからなる。プッシュロッド１９ｂの末端には摘み１９ｃが取着されている。
【００２１】
上記保持金具１８は、天板１の裏面の幅方向の、上記支持金具５と反対側の端部に設けられている。そして、脚体１１を所定の状態まで起立させたときに、上記プッシュロッド１９ｂを押し込むことで、このプッシュロッド１９ｂを保持金具１８に対向する一方の脚体１１の側面に埋め込まれた係合部を形成するキャップ２１に係合させることことができる。それによって、各一対の脚体１１を起立状態で、倒伏不能に保持することができる。
【００２２】
上記天板１の下面に設けられた一対の端部幕板３には、図２に示すように一端部を除く部分が他の部分よりも高さ寸法を低くした段部２２に形成されている。脚体１１を起立させると、一辺部１１ａの上面が上記段部２２に当接する。それによって、各脚体１１の起立方向への回動が制限される。
【００２３】
図１に鎖線で示すように、各脚体１１を倒伏方向へ回動させると、脚体１１の一辺部１１ａの先端面が天板１の下面に当接する。それによって、脚体１１の倒伏方向の回動が制限される。そのとき、脚体１１の他辺部１１ｂの下側となる側面は天板１の下面とほぼ平行になる。それによって、天板１は対をなす２組の脚体１１によって一端部と他端部とがガタ付くことなく安定した状態で支持される。
【００２４】
このように構成されたテーブル装置は、対をなす２組の脚体１１を起立させ、その状態で各脚体１１を保持金具１８によって倒伏不能に保持すれば、図４（ａ）に示すように天板１を脚体１１の他辺部１１ｂの長さに応じた、約７５ｃｍの高さで支持することができる。つまり、利用者が椅子（図示せず）に座って食事などをするに丁度よい、洋室で使用するのに適した高さにすることができる。
【００２５】
起立させた脚体１１は保持金具１８のプッシュロッド１９ｂによって倒伏不能に保持される。そのため、天板１は、脚体１１によって所定の高さで、しかも脚体１１に対してガタ付くことなく確実に支持されることになる。
【００２６】
テーブル装置を和室で使用する場合には、保持金具１８のプッシュロッド１９ｂを引き、脚体１１に設けられたキャップ２１から外す。その状態で、脚体１１は倒伏方向へ回動可能となるから、図４（ｂ）に示す状態を経て図４（ｃ）に示すように倒伏させる。それによって、天板１は脚体１１の他辺部１１ｂによって一辺部１１ａの高さに応じた高さ、つまり約３５ｃｍの和室で使用するに丁度よい高さで支持することができる。
【００２７】
脚体１１を倒伏させると、その一辺部１１ａの先端面が天板１の下面に当接し、他辺部１１ｂの下側の側面が天板１の板面とほぼ平行になった状態で回動が制限される。そのため、天板１は、倒伏した対をなす２組の脚体１１によってほぼ水平に、しかも脚体１１に対してガタ付くことなく確実に支持される。
【００２８】
天板１の長手方向一端部と他端部とに設けられた各一対の脚体１１は、倒伏させたときに図４（ｃ）に示すように互いの他辺部１１ｂの先端部がぶつからないよう、天板１の幅方向に対して位置をずらして設けられている。
【００２９】
そのため、天板１の長さ寸法が十分に長くなく、しかも脚体１１の他辺部１１ｂを長くして洋室で使用する際の天板１の支持高さを高くしても、和室で使用する際に脚体１１を倒伏させた場合、幅方向の位置をずらして天板１の長手方向一端部と他端部に設けられた各一対の脚体１１は他辺部１１ｂの先端部がぶつかることがない。つまり、脚体１１の他辺部１１ｂの長さに制限を受けることなく、脚体１１を倒伏させることができる。
【図面の簡単な説明】
【００３０】
【図１】この発明の一実施の形態のテーブル装置の天板を断面した側面図。
【図２】天板の下面側を示す平面図。
【図３】（ａ）は支軸に対する脚体１の取付け構造の断面図、（ｂ）は脚体を起立させたときに倒伏不能に保持する保持金具の平面図。
【図４】（ａ）は脚体を起立させて天板を支持した斜視図、（ｂ）は脚体が起立状態と倒伏状態との間の倒伏にある斜視図、（ｃ）は脚体を倒伏させた状態の斜視図。
【符号の説明】
【００３１】
１…天板、１１…脚体、１１ａ…一辺部、１１ｂ…他辺部、１８…保持金具（保持手段）。
【図１】
2005046493.tif 000003
【図２】
2005046493.tif 000004
【図３】
2005046493.tif 000005
【図４】
2005046493.tif 000006